(57)【要約】      （修正有）【課題】ユーザが警報時にホイッスル部を容易に吹くことができるとともに、両挟持部分によりシート状物を挟持するときにホイッスル部が邪魔にならない位置に、ホイッスル部を配置する。【解決手段】留め具１は、第１挟持部１０の挟持部分１３と向き合う挟持部分１６を有し、第１挟持部に連結される弾性変形可能な第２挟持部１１と、両挟持部分を離間させる離間回動位置と、両挟持部分を接近させる接近回動位置との間で回動可能に第１挟持部または第２挟持部に連結され、離間回動位置から接近回動位置へ回動するときに第２挟持部を弾性変形させる回動部１７と、回動部が離間回動位置にあるときに第２挟持部から離間し、回動部が接近回動位置にあるときに第２挟持部に接近するように回動部に連結され、ユーザの手指で保持可能なホイッスル部１８と、を備える。【選択図】図２
2015016223.tif 000002
【特許請求の範囲】
【請求項１】
挟持部分を有する第１挟持部と、
第１挟持部の挟持部分と向き合う挟持部分を有し、第１挟持部に連結される弾性変形可能な第２挟持部と、
第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結され、離間回動位置から接近回動位置へ回動するときに第２挟持部を弾性変形させる回動部と、
回動部が離間回動位置にあるときに第２挟持部から離間し、回動部が接近回動位置にあるときに第２挟持部に接近するように回動部に連結され、ユーザの手指で保持可能なホイッスル部と、を備え、
ホイッスル部を保持して第２挟持部の弾性力に抗して回動部を接近回動位置に回動させたときに、第２挟持部の挟持部分が第１挟持部の挟持部分に接近してシート状物を両挟持部分の間で挟持するホイッスル付きの留め具。
【請求項２】
ホイッスル部は、吹き込み口を有し、回動部の回動軸線と直交する長手方向に延び、
吹き込み口は、ホイッスル部の長手方向において回動部と連結されるホイッスル部の連結部分と反対側の先端部に配置される請求項１に記載のホイッスル付き留め具。
【請求項３】
吹き込み口は、第２挟持部の挟持部分よりも回動部の回動軸線から離れて配置される請求項２に記載のホイッスル付き留め具。
【請求項４】
第２挟持部は、第１挟持部に連結され、第１挟持部と向き合って延びる支持部分と、名札などの表示物が取り付けられる取付部材とを有し、
取付部分は、回動部の回動軸線および支持部分の延びる方向とそれぞれ直交する軸線の周りに回動可能に支持部分に連結される請求項３に記載のホイッスル付き留め具。
【請求項５】
回動部が接近回動位置にあるときに第２挟持部の取付部分と向き合うホイッスル部の外壁であって、ホイッスル部の先端部の所定領域に、切欠部分が形成され、
第２挟持部の取付部分が回動するときに、その取付部分の少なくとも一部が、ホイッスル部の切欠部分を通過する請求項４に記載のホイッスル付き留め具。
【請求項６】
第２挟持部の挟持部分は、支持部分と取付部分との連結箇所において取付部分に配置され、
第１挟持部の挟持部分には、複数の係止突起が円形状に配列され、
第２挟持部の挟持部分には、複数の係止突起が嵌入する円形状の係止溝が形成される請求項４または請求項５に記載のホイッスル付き留め具。
【請求項７】
第２挟持部は、挟持部分が配置された面と反対側の面に当接部分を有し、
回動部が接近回動位置にあるときに、第２挟持部と向き合うホイッスル部の長手方向に延びる外壁が当接部分に当接する請求項１〜６のいずれかに記載のホイッスル付き留め具。
【請求項８】
紐などの長尺物が保持される保持部を備え、
第１挟持部の挟持部分は、第１挟持部の長手方向における一端部に配置され、
保持部は、第１挟持部の長手方向における他端部に連結される請求項１〜７のいずれかに記載のホイッスル付き留め具。
【請求項９】
回動部は、その回動軸線と直交する方向に延び、
ホイッスル部は、回動部の回動軸線および回動部の延びる方向とそれぞれ直交する軸線の周りに回動可能に回動部に連結される請求項１に記載のホイッスル付き留め具。
【請求項１０】
挟持部分を有する第１挟持部と、
第１挟持部の挟持部分に対向する挟持部分を有し、第１挟持部に連結される弾性変形可能な第２挟持部と、
第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結され、離間回動位置から接近回動位置へ回動するときに第２挟持部を弾性変形させる回動部と、
回動部に連結され、ユーザの手指で操作可能な操作部と、
第１挟持部に設けられたホイッスル部と、を備え、
操作部を操作して第２挟持部の弾性力に抗して回動部を接近回動位置に回動させたときに、第２挟持部の挟持部分が第１挟持部の挟持部分に接近してシート状物を両挟持部分の間で挟持するホイッスル付きの留め具。
【請求項１１】
ホイッスル部は、吹き込み口を有し、
吹き込み口は、ホイッスル部が延びる長手方向において回動部の回動軸線に対して第１挟持部の挟持部分が配置される側とは反対側に配置されるとともに、第１挟持部と第２挟持部との連結部分よりも第１挟持部の挟持部分から離れて配置される請求項１０に記載のホイッスル付き留め具。
【請求項１２】
ホイッスル部は、回動部の回動軸線と直交する方向であって、第１挟持部が延びる長手方向に延び、互いに向き合う一対の壁を有し、
ホイッスル部の一対の壁のうち一方の壁が第１挟持部に連結され、
ホイッスル部の一対の壁のうち他方の壁に、ホイッスル部は排気口を有す請求項１１に記載のホイッスル付き留め具。
【請求項１３】
第１挟持部は、回動部の回動軸線と直交する方向に延び、
ホイッスル部は、回動部の回動軸線および第１挟持部の延びる方向とそれぞれ直交する軸線の周りに回動可能に第１挟持部に連結される請求項１０に記載のホイッスル付き留め具。
【発明の詳細な説明】
【技術分野】
【０００１】
本発明は、衣服の布地などのシート状物を挟持して、名札または通行許可証などの表示物を着脱可能にシート状物に留める留め具に関する。詳細には、警報時に使用されるホイッスル部が設けられた留め具に関する。
【背景技術】
【０００２】
従来、表示物をシート状物に対して着脱可能に留める留め具として、種々の構成の留め具が提案されている。たとえば、特許文献１に記載の名札装着具は、クリップ部と、名札保持部とを備える。クリップ部は、第１挟持体と、第２挟持体と、切替レバーとを備える。第２挟持体が、第１挟持体に対して、弾性力により離間した状態と、その弾性力に抗して接近した状態とに、切替レバーの操作により切り替えられる。第２挟持体が第１挟持体に接近した状態で、たとえば上着の胸ポケットの布地を両挟持体により挟持する。名札保持部は、クリップ部の一部、たとえば切替レバー、または一方の挟持体に連結される。
【０００３】
ところで、警報時に使用されるホイッスル部を備えた装身具として、種々の構成の装身具が提案されている。たとえば、特許文献２に記載のペンダントは、チェーンに連結された板状部材と、その板状部材の表面に設けられた透明カバーと、その板状部材の裏面に設けられた警報笛部とを備える。名札などのプレートが透明カバーの中に入れられる。
【先行技術文献】
【特許文献】
【０００４】
【特許文献１】特許第４３１０４５４号公報
【特許文献２】特開平８−２２７２９２号公報
【発明の概要】
【発明が解決しようとする課題】
【０００５】
ここで、特許文献１に記載の技術と、特許文献２に記載の技術とを組み合わせた場合、特許文献１に記載の名札装着具の名札保持部に、特許文献２に記載の警報笛部を取り付ける構成が考えられる。しかし、名札保持部は、名札などの表示物の大きさまたは形状に応じて種々のサイズまたは形状の保持部に取り替えられることから、警報笛部が取り付けられた保持部として多種類のサイズまたは形状の保持部を用意しておくことは、好ましくない。
【０００６】
また、特許文献１に記載の名札装着具のクリップ部に、特許文献２に記載の警報笛部を取り付ける場合には、ユーザが警報時に警報笛部を容易に吹くことができるとともに、両挟持体により布地を挟持するときに警報笛部が邪魔にならない位置に、警報笛部を配置する必要がある。
【０００７】
そこで、本発明は、ユーザが警報時にホイッスル部を容易に吹くことができるとともに、両挟持部分によりシート状物を挟持するときにホイッスル部が邪魔にならない位置に、ホイッスル部が配置された留め具を提供することを目的とする。
【課題を解決するための手段】
【０００８】
（第１の発明態様およびその具体的態様）
請求項１に記載の第１の発明態様は、挟持部分を有する第１挟持部と、第１挟持部の挟持部分と向き合う挟持部分を有し、第１挟持部に連結される弾性変形可能な第２挟持部と、第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結され、離間回動位置から接近回動位置へ回動するときに第２挟持部を弾性変形させる回動部と、回動部が離間回動位置にあるときに第２挟持部から離間し、回動部が接近回動位置にあるときに第２挟持部に接近するように回動部に連結され、ユーザの手指で保持可能なホイッスル部と、を備え、ホイッスル部を保持して第２挟持部の弾性力に抗して回動部を接近回動位置に回動させたときに、第２挟持部の挟持部分が第１挟持部の挟持部分に接近してシート状物を両挟持部分の間で挟持する構成である。
【０００９】
本発明態様では、第２挟持部は、第１挟持部と一体的に形成される構成でも、別体で形成されて第１挟持部に取り付けられる構成でもよい。また、第２挟持部は、少なくとも一部が弾性変形可能な構成であればよい。
【００１０】
本発明態様では、回動部は、第１挟持部または第２挟持部に回動可能に連結される。回動部が第１挟持部に回動可能に連結される場合、回動部は、第２挟持部または第２挟持部に連結された部材に作用して第２挟持部を弾性変形させる。回動部が第２挟持部に回動可能に連結される場合、回動部は、第１挟持部または第１挟持部に連結された部材に作用して第２挟持部を弾性変形させる。
【００１１】
本発明態様では、ホイッスル部は、第２挟持部に対して離間または接近を行うように回動部に連結される構成であれば、回動部に固定される構成でも、回動またはスライドなどの移動が可能なように回動部に連結される構成でもよい。
【００１２】
本発明態様の留め具が名札などの表示物をシート状物に着脱可能に取り付けるために使用される場合には、名札などの表示物が取り付けられる部材が、第２挟持部に含まれる構成でも、回動部またはホイッスル部に連結される構成でもよい。また、本発明態様の留め具は、リボンまたは造花などの装飾品をシート状物に着脱可能に取り付けるためにも使用される。この場合には、装飾品が取り付けられる部材が、第２挟持部以外に、第１挟持部に含まれる構成でもよい。
【００１３】
請求項２に記載の具体的態様では、ホイッスル部は、吹き込み口を有し、回動部の回動軸線と直交する長手方向に延び、吹き込み口は、ホイッスル部の長手方向において回動部と連結されるホイッスル部の連結部分と反対側の先端部に配置される。
【００１４】
本具体的態様では、ホイッスル部は排気口も有するが、その排気口は、回動部が接近回動位置にあるときにホイッスル部が第２挟持部に向き合う外壁に配置される構成でも、その向き合う外壁と反対側の外壁に配置される構成でもよい。
【００１５】
請求項３に記載の具体的態様では、吹き込み口は、第２挟持部の挟持部分よりも回動部の回動軸線から離れて配置される。
【００１６】
本具体的態様では、吹き込み口が回動部の回動軸線から離れる距離は、発生されるべき警報音の周波数に基いたホイッスル部の長さに応じて定められる。
【００１７】
請求項４に記載の具体的態様では、第２挟持部は、第１挟持部に連結され、第１挟持部と向き合って延びる支持部分と、名札などの表示物が取り付けられる取付部分とを有し、取付部分は、回動部の回動軸線および支持部分の延びる方向とそれぞれ直交する軸線の周りに回動可能に支持部分に連結される。
【００１８】
本具体的態様では、第２挟持部の挟持部分は、支持部分および取付部分のうち、いずれの部分に配置されてもよい。
【００１９】
請求項５に記載の具体的態様では、回動部が接近回動位置にあるときに第２挟持部の取付部分と向き合うホイッスル部の外壁であって、ホイッスル部の先端部の所定領域に、切欠部分が形成され、第２挟持部の取付部分が回動するときに、その取付部分の少なくとも一部が、ホイッスル部の切欠部分を通過する。
【００２０】
本具体的態様では、ホイッスル部の先端部の所定領域は、切欠部分を通過する取付部分の一部の長さより長い領域であって、取付部分の全長よりも短い領域である。
【００２１】
請求項６に記載の具体的態様では、第２挟持部の挟持部分は、支持部分と取付部分との連結箇所において取付部分に配置され、第１挟持部の挟持部分には、複数の係止突起が円形状に配列され、第２挟持部の挟持部分には、複数の係止突起が嵌入する円形状の係止溝が形成される。
【００２２】
本具体的態様では、複数の係止突起は、挟持部分上の円形の全周領域にわたって配列される構成でも、挟持部分上の円形の部分的領域に配列される構成でもよい。また、円形状の係止溝は、複数の係止突起の配列状態に応じた形状であればよく、完全な円形形状でなく、円弧形状でもよい。
【００２３】
請求項７に記載の具体的態様では、第２挟持部は、挟持部分が配置された面と反対側の面に当接部分を有し、回動部が接近回動位置にあるときに、第２挟持部と向き合うホイッスル部の長手方向に延びる外壁が当接部分に当接する。
【００２４】
本具体的態様では、当接部分は、挟持部分が配置された面と反対側の面上の一部分として構成されても、挟持部分が配置された面と反対側の面から突出した部分として構成されてもよい。
【００２５】
請求項８に記載の具体的態様では、紐などの長尺物が保持される保持部を備え、第１挟持部の挟持部分は、第１挟持部の長手方向における一端部に配置され、保持部は、第１挟持部の長手方向における他端部に連結される。
【００２６】
本具体的態様では、保持部は、第１挟持部の長手方向における他端部に固定される構成でも、その他端部に対して着脱可能に連結される構成でもよい。
【００２７】
請求項９に記載の具体的態様では、回動部は、その回動軸線と直交する方向に延び、
ホイッスル部は、回動部の回動軸線および回動部の延びる方向とそれぞれ直交する軸線の周りに回動可能に回動部に連結される。
【００２８】
（第２の発明態様およびその具体的態様）
請求項１０に記載の第２の発明態様は、挟持部分を有する第１挟持部と、第１挟持部の挟持部分に対向する挟持部分を有し、第１挟持部に連結される弾性変形可能な第２挟持部と、第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結され、離間回動位置から接近回動位置へ回動するときに第２挟持部を弾性変形させる回動部と、回動部に連結され、ユーザの手指で操作可能な操作部と、第１挟持部に設けられたホイッスル部と、を備え、操作部を操作して第２挟持部の弾性力に抗して回動部を接近回動位置に回動させたときに、第２挟持部の挟持部分が第１挟持部の挟持部分に接近してシート状物を両挟持部分の間で挟持する構成である。
【００２９】
本発明態様でも、第１の発明態様と同様に、第２挟持部および回動部を種々の形態で具現してもよい。
【００３０】
本発明態様では、ホイッスル部は、第１挟持部に固定される構成でも、回動またはスライドなどの移動が可能なように第１挟持部に連結される構成でもよい。
【００３１】
請求項１１に記載の具体的態様では、ホイッスル部は、吹き込み口を有し、吹き込み口は、ホイッスル部が延びる長手方向において回動部の回動軸線に対して第１挟持部の挟持部分が配置される側とは反対側に配置されるとともに、第１挟持部と第２挟持部との連結部分よりも第１挟持部の挟持部分から離れて配置される。
【００３２】
本具体的態様では、ホイッスル部の長手方向において吹き込み口と反対側のホイッスル部の端部は、挟持部分が配置される第１挟持部の端部と、同じ位置に配置される構成でも、異なる位置に配置される構成でもよい。また、第１挟持部と第２挟持部との連結部分と、吹き込み口との間の距離は、ホイッスル部を吹くときにユーザがホイッスル部を口で咥えることができる長さである。
【００３３】
請求項１２に記載の具体的態様では、ホイッスル部は、回動部の回動軸線と直交する方向であって、第１挟持部が延びる長手方向に延び、互いに向き合う一対の壁を有し、ホイッスル部の一対の壁のうち一方の壁が第１挟持部に連結され、ホイッスル部の一対の壁のうち他方の壁に、ホイッスル部は排気口を有す。
【００３４】
請求項１３に記載の具体的態様では、第１挟持部は、回動部の回動軸線と直交する方向に延び、ホイッスル部は、回動部の回動軸線および第１挟持部の延びる方向とそれぞれ直交する軸線の周りに回動可能に第１挟持部に連結される。
【発明の効果】
【００３５】
（第１の発明態様およびその具体的態様の効果）
請求項１に記載の発明態様では、回動部は、第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結される。ホイッスル部は、回動部が離間回動位置にあるときに第２挟持部から離間し、回動部が接近回動位置にあるときに第２挟持部に接近する。この結果、ホイッスル部を保持して第２挟持部の弾性力に抗して回動部を接近回動位置に回動させたときに、第２挟持部の挟持部分が第１挟持部の挟持部分に接近してシート状物を両挟持部分の間で挟持し、留め具をシート状物に装着することができる。この装着状態で、ホイッスル部は第２挟持部に接近した状態に位置することから、ユーザにとってホイッスル部が邪魔になることはない。また、ホイッスル部を保持して回動部を離間回動位置に回動させたときに、第２挟持部の挟持部分が第１挟持部の挟持部分から離間し、留め具をシート状物から離脱させることができる。この離脱状態で、ユーザは、回動部を離間回動位置に維持したまま、第２挟持部から離間したホイッスル部を容易に吹くことができる。
【００３６】
請求項２に記載の具体的態様では、吹き込み口は、ホイッスル部の長手方向において回動部と連結されるホイッスル部の連結部分と反対側の先端部に配置される。この結果、留め具をシート状物から離脱させた状態で、ユーザは、第２挟持部に邪魔されることなく、第２挟持部から離間したホイッスル部の先端部に配置された吹き込み口から、ホイッスル部を一層容易に吹くことができる。
【００３７】
請求項３に記載の具体的態様では、吹き込み口は、第２挟持部の挟持部分よりも回動部の回動軸線から離れて配置される。この結果、留め具をシート状物から離脱させた状態で、ユーザは、第２挟持部の挟持部分に邪魔されることなく、第２挟持部の挟持部分から大きく離れた吹き込み口から、ホイッスル部を一層容易に吹くことができる。また、ユーザは、吹き込み口の近傍のホイッスル部の先端部分を手指により保持して、比較的に小さい操作力により回動部を回動させることができる。
【００３８】
請求項４に記載の具体的態様では、取付部分は、回動部の回動軸線および支持部分の延びる方向とそれぞれ直交する軸線の周りに回動可能に支持部分に連結される。この結果、留め具をシート状物に装着したときに、ユーザは、支持部分に対して取付部分が回動することにより、表示物を鉛直方向に吊り下げることができる。また、留め具をシート状物から離脱させたときに、ユーザは、取付部分を回動させることにより、取付部分に邪魔されることなく、ホイッスル部を一層容易に吹くことができる。
【００３９】
請求項５に記載の具体的態様では、第２挟持部の取付部分が回動するときに、その取付部分の少なくとも一部が、ホイッスル部の切欠部分を通過する。この結果、留め具をシート状物に装着した状態で、ホイッスル部を第２挟持部に接近させたまま、取付部分を自由に回動させることができる。
【００４０】
請求項６に記載の具体的態様では、留め具をシート状物に装着した状態で、取付部分に配置された第２挟持部の挟持部分が取付部分とともに回動するときに、第１挟持部の挟持部分に配列された複数の係止突起は移動せずに、第２挟持部の挟持部分に形成された係止溝がシート状物に接触して回動することから、シート状物を傷つけることがない。
【００４１】
請求項７に記載の具体的態様では、回動部が接近回動位置にあるときに、第２挟持部と向き合うホイッスル部の長手方向に延びる外壁が第２挟持部の当接部分に当接する。この結果、留め具をシート状物に装着したときに、ホイッスル部の外壁が当接部分に当接する所定の位置にホイッスル部を確実に接近させることができる。
【００４２】
請求項８に記載の具体的態様では、第１挟持部の挟持部分は、第１挟持部の長手方向における一端部に配置され、紐などの長尺物が保持される保持部は、第１挟持部の長手方向における他端部に連結される。この結果、回動部に連結されたホイッスル部が、回動部を離間回動位置に回動させたときに、保持部と干渉することはなく、ホイッスル部を第２挟持部から十分に離間させることができ、ユーザは第２挟持部およびその他の部材に邪魔されることなく、ホイッスル部を容易に吹くことができる。
【００４３】
請求項９に記載の具体的態様では、ホイッスル部は、回動部の回動軸線および回動部の延びる方向とそれぞれ直交する軸線の周りに回動可能に回動部に連結される。この結果、留め具をシート状物から離脱させた状態で、ユーザは、ホイッスル部を回動部に対して回動させて、回動部およびその他の部材に邪魔されることがない回動位置で容易に吹くことができる。
【００４４】
（第２の発明態様およびその具体的態様の効果）
請求項１０に記載の第２の発明態様では、回動部は、第２挟持部の挟持部分を第１挟持部の挟持部分から離間させる離間回動位置と、第２挟持部の挟持部分を第１挟持部の挟持部分に接近させる接近回動位置との間で回動可能に第１挟持部または第２挟持部に連結される。操作部の操作により、回動部は回動する。ホイッスル部は、第１挟持部に設けられる。この結果、操作部を操作して第２挟持部の弾性力に抗して回動部を接近回動位置に回動させたときに、第２挟持部の挟持部分が第１挟持部の挟持部分に接近してシート状物を両挟持部分の間で挟持し、留め具をシート状物に装着することができる。この装着状態で、ホイッスル部は、第１挟持部とともに第２挟持部に接近した状態に位置することから、ユーザにとってホイッスル部が邪魔になることはない。また、操作部を操作して回動部を離間回動位置に回動させたときに、第２挟持部の挟持部分が第１挟持部の挟持部分から離間し、留め具をシート状物から離脱させることができる。この離脱状態で、ユーザは、回動部が離間回動位置および接近回動位置のいずれの回動位置にあっても、第１挟持部に設けられたホイッスル部を容易に吹くことができる。さらに、第１挟持部は、第２挟持部のように弾性変形する必要はなく、強固さが要求されるホイッスル部を設けるのに適した部位であり、しかも、操作部のように回動部とともに回動操作されることもないことから、他の部材との干渉の制約を受けることが少なく、第１挟持部上においてホイッスル部の配置位置を自由に設定することができる。
【００４５】
請求項１１に記載の具体的態様では、吹き込み口は、ホイッスル部が延びる長手方向において回動部の回動軸線に対して第１挟持部の挟持部分が配置される側とは反対側に配置されるとともに、第１挟持部と第２挟持部との連結部分よりも第１挟持部の挟持部分から離れて配置される。この結果、留め具をシート状物から離脱させた状態で、ユーザは、両挟持部の挟持部分および両挟持部の連結部分に邪魔されることはなく、ホイッスル部を容易に吹くことができる。
【００４６】
請求項１２に記載の具体的態様では、ホイッスル部の一対の壁のうち一方の壁が第１挟持部に連結され、ホイッスル部の一対の壁のうち他方の壁に、ホイッスル部は排気口を有す。この結果、ホイッスル部を吹くときに、排気口からの空気の流れが、第２挟持部により妨げられることはなく、ユーザはホイッスル部を容易に吹くことができる。
【００４７】
請求項１３に記載の具体的態様では、ホイッスル部は、回動部の回動軸線および第１挟持部の延びる方向とそれぞれ直交する軸線の周りに回動可能に第１挟持部に連結される。この結果、留め具をシート状物から離脱させた状態で、ユーザは、ホイッスル部を第１挟持部に対して回動させて、第１挟持部およびその他の部材に邪魔されることがない回動位置で容易に吹くことができる。
【図面の簡単な説明】
【００４８】
【図１】本発明の第１実施形態に係る名札装着用の留め具１をユーザの上着ＴＳの胸ポケットＰＴに装着した状態を示す説明図である。
【図２】留め具１の第１挟持部材１０の挟持部分１３と第２挟持部材１１の挟持部分１６とが離間した状態において留め具１を前方から見た拡大斜視図である。
【図３】図２に示す留め具１の左側断面図である。
【図４】留め具１の第１挟持部材１０を前方から見た斜視図である。
【図５】第２挟持部材１１の支持部材１４の右側面図である。
【図６】第２挟持部材１１の取付部材１５の右側面図である。
【図７】第２挟持部材１１の取付部材１５を後方から見た背面図である。
【図８】中子部材４０が分離された回動操作部材１２を前方から見た斜視図である。
【図９】回動操作部材１２を上方から見た平面図である。
【図１０】留め具１の第１挟持部材１０の挟持部分１３と第２挟持部材１１の挟持部分１６とが接近した状態における留め具１の右側断面図である。
【図１１】本発明の第２実施形態に係る名札装着用の留め具１の第１挟持部材１０の挟持部分１３と第２挟持部材１１の挟持部分１６とが接近した状態において、中子部材４０が分離された留め具１を前方から見た斜視図である。
【図１２】図１１に示す中子部材４０が組み付けられた留め具１の右側断面図である。
【図１３】本発明の第３実施形態に係る名札装着用の留め具１の第１挟持部材１０の挟持部分１３と第２挟持部材１１の挟持部分１６とが接近した状態において、ホイッスル部材３００および中子部材４０が分離された留め具１を前方から見た斜視図である。
【図１４】図１３に示すホイッスル部材３００および中子部材４０が組み付けられた留め具１の右側断面図である。
【図１５】本発明の第４実施形態に係る名札装着用の留め具１の第１挟持部材５００の挟持部分５１３と第２挟持部材１１の挟持部分１６とが接近した状態における留め具１を前方から見た斜視図である。
【図１６】図１５に示す留め具１の右側断面図である。
【図１７】本発明の第５実施形態に係る名札装着用の留め具１の第１挟持部材７００の挟持部分７１３と第２挟持部材１１の挟持部分１６とが接近した状態における留め具１を前方から見た斜視図である。
【図１８】図１７に示す留め具１の右側断面図である。
【発明を実施するための形態】
【００４９】
＜第１実施形態＞
以下に、本発明の第１実施形態に係る名札装着用の留め具について、図面を参照して説明する。図１は、ユーザが名札装着用の留め具１を上着ＴＳの胸ポケットＰＴに装着した状態を示す。図１において、名札ＮＴが留め具１に取り付けられる。なお、図１に矢印で示す２つの方向を、上下方向、および左右方向とし、両方向に直交する方向を、前後方向として、図１以降の他の図面でも同様に、各方向を示す。
【００５０】
［留め具１の構成］
留め具１の詳細な構成について、図面を参照して説明する。図２は、名札ＮＴを取り外した状態において、留め具１の全体を前方から見た斜視図であり、図３は、留め具１の左側断面図である。図２および図３において、留め具１は、第１挟持部材１０と、第２挟持部材１１と、回動操作部材１２とを主に備える。第１挟持部材１０は、挟持部分１３を備える。第２挟持部材１１は、支持部材１４と、取付部材１５とを備え、支持部材１４の上方部分が第１挟持部材１０に取り付けられる。取付部材１５は、挟持部分１３と向き合う挟持部分１６を備える。回動操作部材１２は、回動部分１７と、ホイッスル部分１８とを備え、回動部分１７が第１挟持部材１０に回動可能に取り付けられる。
【００５１】
（第１挟持部材１０の詳細な構成）
第１挟持部材１０の構成について、図面を参照して説明する。図４は、第１挟持部材１０を前方から見た斜視図である。第１挟持部材１０は、弾力性がある合成樹脂材料から成形される。本実施形態では、第１挟持部材１０の合成樹脂材料として、ポリアセタール樹脂が使用される。図４において、第１挟持部材１０は、上下方向に延びる板状の挟持基体部分２０と、保持部分２１と、一対の軸受け部分２２、２３とを備える。挟持部分１３は、挟持基体部分２０の下方部分であって、挟持基体部分２０の前面に配置される。
【００５２】
保持部分２１は、挟持基体部分２０から前方に延びる延出部分２１Ａと、その延出部分２１Ａの先端に形成された屈曲部分２１Ｂと、一対の保持突起２１Ｃ、２１Ｄとを備える。一対の保持突起２１Ｃ、２１Ｄは、延出部分２１Ａの下面であって、延出部分２１Ａと挟持基体部分２０との連結部分に近接した位置に、左右方向に所定間隔をおいて配置される。また、保持部分２１は、後方に開放する開口部分２１Ｅと、一対の円弧状の受け面とを備える。一対の円弧状の受け面は、開口部分２１Ｅの左右両側に配置され、図４において左側の受け面２１Ｆのみが示される。
【００５３】
一対の軸受け部分２２、２３は、前後方向に長い長孔２２Ａ、２３Ａを備える。また、軸受け部分２２、２３は、図４に示すように、互いに向き合う内側面であって、長孔２２Ａ、２３Ａより前方に一対の傾斜面２２Ｂ、２３Ｂを有する。傾斜面２２Ｂ、２３Ｂは、前方に向かって互いに離れる方向に傾斜して形成される。挟持部分１３は、円形状に配列された複数の係止突起２４を備える。円形状の凹所２５が、挟持部分１３の中心部分に形成される。本実施形態では、８個の係止突起２４が、凹所２５の周囲に等間隔に配列される。
【００５４】
（第２挟持部材１１の詳細な構成）
第２挟持部材１１の構成について、図面を参照して説明する。図５は、第２挟持部材１１の支持部材１４の右側面図であり、図６は、第２挟持部材１１の取付部材１５の右側面図であり、図７は、第２挟持部材１１の取付部材１５を後方から見た背面図である。支持部材１４は、弾力性がある合成樹脂材料から成形される。本実施形態では、支持部材１４の合成樹脂材料として、ポリアセタール樹脂が使用される。図５において、支持部材１４は、支持基体部分３０と、保持ヘッド部分３１と、一対の連結片３２、３３とを備える。
【００５５】
支持基体部分３０は、上下方向に延び、上方湾曲部分３０Ａと、下方平坦部分３０Ｂとを備える。当接突出部分３４が、支持部材１４の前面であって、上方湾曲部分３０Ａと下方平坦部分３０Ｂとの連結部分に形成される。
【００５６】
保持ヘッド部分３１は、上方湾曲部分３０Ａの上方部分に連結され、前後方向に延びる。保持ヘッド部分３１は、前方突出部分３１Ａと、後方突出部分３１Ｂとを備える。前方突出部分３１Ａは、図３に示すように、第１挟持部材１０の保持部分２１の屈曲部分２１Ｂに嵌合して係止される。後方突出部分３１Ｂは、円弧状の湾曲面を有し、第１挟持部材１０の保持部分２１の一対の円弧状の受け面と係合する。切欠部分３１Ｃが、保持ヘッド部分３１の上面に形成される。前方突出部分３１Ａが屈曲部分２１Ｂに係止されるとともに、後方突出部分３１Ｂが一対の円弧状の受け面と係合することにより、第２挟持部材１１が第１挟持部材１０に取り付けられる。第２挟持部材１１が第１挟持部材１０に取り付けられた状態において、前方から押圧力が上方湾曲部分３０Ａに加わったときに、保持ヘッド部分３１と上方湾曲部分３０Ａとの連結部分を中心に、上方湾曲部分３０Ａが後方に回動することができるように、第２挟持部材１１は弾性変形可能に構成される。上方湾曲部分３０Ａが後方に回動したときに、後方突出部分３１Ｂは、一対の円弧状の受け面上を摺動する。切欠部分３１Ｃは、この後方突出部分３１Ｂの摺動を許容するために設けられる。
【００５７】
一対の連結片３２、３３が、下方平坦部分３０Ｂの下方部分であって、下方平坦部分３０Ｂの後面から突出して形成される。一対の連結片３２、３３は、円弧状の軸部分３２Ａ、３３Ａと、それらの軸部分の先端に形成された係止部分３２Ｂ、３３Ｂとをそれぞれ備える。
【００５８】
取付部材１５は、合成樹脂材料から成形される。本実施形態では、取付部材１５の合成樹脂材料として、ポリアセタール樹脂が使用される。図６において、取付部材１５は、取付回動部分３５と、取付ループ部分３６とを備える。挟持部分１６が、取付回動部分３５の後面に形成される。取付回動部分３５は、図７に示すように、略円形状を有する。円形連結孔３５Ａが、取付回動部分３５の中心に形成される。挟持部分１６は、円形内壁３５Ｂと、円形外壁３５Ｃとを備える。円形内壁３５Ｂが、円形連結孔３５Ａの周囲に形成される。円形外壁３５Ｃが、円形内壁３５Ｂから所定間隔をおいて円形内壁３５Ｂの周囲に形成される。円形の係止溝３５Ｄが、円形内壁３５Ｂと円形外壁３５Ｃとにより構成される。円形連結孔３５Ａは、一対の連結片３２、３３の軸部分３２Ａ、３３Ａと嵌合する。円形連結孔３５Ａが軸部分３２Ａ、３３Ａと嵌合した状態において、一対の連結片３２、３３の係止部分３２Ｂ、３３Ｂが、円形内壁３５Ｂの内部に画定された空間に収容され、取付回動部分３５を下方平坦部分３０Ｂに回動可能に係止する。第１挟持部材１０の係止突起２４が、係止溝３５Ｄに嵌合する。
【００５９】
取付ループ部分３６が、取付回動部分３５の下方部分に連結される。取付ループ部分３６は、フック状に屈曲したフック部分３６Ａと、舌状部分３６Ｂとを備える。舌状部分３６Ｂの先端部３６Ｂ１は、フック部分３６Ａの先端部３６Ａ１より僅かに下方まで取付回動部分３５から垂下する。前方から押圧力が舌状部分３６Ｂに加わったときに、舌状部分３６Ｂは、取付回動部分３５との連結部分を中心として後方に回動することができるように弾性変形可能に構成される。図１に示す名札ＮＴの取付用長孔ＡＨが、フック部分３６Ａの先端部３６Ａ１に挿通されるときに、舌状部分３６Ｂが弾性変形して後方に回動する。
【００６０】
（回動操作部材１２の詳細な構成）
回動操作部材１２の構成について図面を参照して説明する。図８は、中子部材４０を取り外した状態にある回動操作部材１２を前方から見た斜視図であり、図９は、回動操作部材１２を上方から見た平面図である。回動操作部材１２は、合成樹脂材料から成形される。回動操作部材１２の合成樹脂材料として、第１挟持部材１０の合成樹脂材料、および、第２挟持部材１１の支持部材１４並びに取付部材１５の合成樹脂材料とは、硬さおよび摩擦係数の異なる合成樹脂材料が使用されることが好ましい。本実施形態では、回動操作部材１２の合成樹脂材料として、ＡＢＳ樹脂が使用される。中子部材４０も、合成樹脂材料から成形される。実施形態では、中子部材４０の合成樹脂材料として、ＡＢＳ樹脂が使用されるが、これ以外に、ポリカーボネート樹脂、ポリアセタール樹脂、ポリスチレン樹脂、アクリル樹脂などの合成樹脂材料も使用することができる。
【００６１】
回動操作部材１２の回動部分１７は、ホイッスル部分１８と一体に成形される。回動部分１７は、左右方向に延びる一対の回動軸部分４１、４２と、押圧突出部分４３と、一対の案内壁部分４４、４５とを備える。一対の回動軸部分４１、４２は、先端部に傾斜面４１Ａ、４２Ａを有する。傾斜面４１Ａ、４２Ａは、上方に向かって互いに接近する方向に傾斜して形成される。傾斜面４１Ａ、４２Ａが傾斜面２２Ｂ、２３Ｂと係合して一対の軸受け部分２２、２３を弾性変形させて外方に押し広げることにより、一対の回動軸部分４１、４２は、一対の軸受け部分２２、２３の長孔２２Ａ、２３Ａにそれぞれ嵌合する。押圧突出部分４３は、第２挟持部材１１の上方湾曲部分３０Ａの前面に接触する。一対の案内壁部分４４、４５は、第１挟持部材１０の屈曲部分２１Ｂの左右両側面とそれぞれ接触して、回動部分１７が左右方向にずれないように回動部分１７を案内する。
【００６２】
ホイッスル部分１８は、上下方向に延びる直方体形状を有し、前壁４６と、後壁４７と、右壁４８と、左壁４９とを備える。ホイッスル部分１８の上方部分が、回動部分１７に連結される。吹き込み口５０が、ホイッスル部分の下方部分に開口して形成される。収容室５１が吹き込み口５０からホイッスル部分１８の内部に形成され、共鳴室５２が収容室５１に連通してホイッスル部分１８の内部に形成される。排気口５３が、前壁４６に形成される。
【００６３】
中子部材４０は、傾斜面４０Ａと、一対の保持突出部分４０Ｂ、４０Ｃと、係止突出部分４０Ｄとを備える。図８において、傾斜面４０Ａは、中子部材４０の前面に形成され、一対の保持突出部分４０Ｂ、４０Ｃは、左右両側部において、傾斜面４０Ａから前方に突出する。一対の保持突出部分４０Ｂ、４０Ｃの側面は、収容室５１の左右内壁にそれぞれ係合し、保持突出部分４０Ｂ、４０Ｃの前面は、収容室５１の前内壁に係合する。係止突出部分４０Ｄは、中子部材４０の後面から後方に突出する。係止突出部分４０Ｄは、ホイッスル部分１８の後壁４７から収容室５１に貫通する係止孔５４に嵌合する。係止突出部分４０Ｄが係止孔５４に嵌合するときに、ホイッスル部分１８の吹き込み口５０近傍の後壁は係止突出部分４０Ｄからの押圧力により弾性変形する。中子部材４０が収容室５１に嵌入された状態において、傾斜面４０Ａは、収容室５１の内部断面積が徐々に小さくなる内部空間を形成して排気口５３に向かって延びる。
【００６４】
切欠部分５５が、ホイッスル部分１８の後壁４７において、吹き込み口５０から上方に形成される。図１０は、ホイッスル部分１８の後壁４７が第２挟持部材１１の支持部材１４の当接突出部分３４に当接した状態、すなわち第１挟持部材１０の挟持部分１３と第２挟持部材１１の挟持部分１６とが接近した状態における留め具１の左側断面図である。挟持部分１３、１６が接近した状態において、取付部材１５のフック部分３６Ａの先端部３６Ａ１が、図１０に示すように、切欠部分５５により画定される空間内に位置する。このため、切欠部分５５は、フック部分３６Ａの先端部３６Ａ１を収容することができるように上下方向の長さおよび前後方向の深さを有する。
【００６５】
［第１実施形態の動作および作用］
留め具１を組み立てる場合、留め具１を胸ポケットＰＴに対して装着および離脱する場合、および留め具１のホイッスル部分１８を使用する場合における動作および作用について図面を参照して説明する。
【００６６】
（留め具１を組み立てる場合）
留め具１を組み立てる場合について説明する。組み立て動作は、作業者による手作業でも、機械による自動化された工程でも実行可能である。先ず、図５に示す第２挟持部材１１の支持部材１４に、図６に示す第２挟持部材１１の取付部材１５を組み付ける。具体的には、取付部材１５の円形連結孔３５Ａに、支持部材１４の一対の連結片３２、３３を挿入する。この挿入に際して、連結片３２、３３の軸部分３２Ａ、３３Ａが互いに接近するように弾性変形することにより、連結片３２、３３の係止部分３２Ｂ、３３Ｂが円形連結孔３５Ａに挿通される。この結果、取付部材１５が、軸部分３２Ａ、３３Ａの周りに回動可能に支持部材１４に組み付けられる。
【００６７】
次に、取付部材１５が組み付けられた支持部材１４を、図４に示す第１挟持部材１０に組み付ける。具体的には、支持部材１４の前方突出部分３１Ａを、第１挟持部材１０の屈曲部分２１Ｂに嵌合させる。そして、支持部材１４の後方突出部分３１Ｂを、第１挟持部材１０の一対の円弧状の受け面（図４に左側の受け面２１Ｆを示す）に嵌合させる。この後方突出部分３１Ｂの嵌合に際して、後方突出部分３１Ｂが円弧状の受け面の近傍に位置する挟持基体部分２０の一部分を押圧して保持部分２１に対して挟持基体部分２０が後方に回動するように挟持基体部分２０を弾性変形させることにより、後方突出部分３１Ｂが円弧状の受け面にそれぞれ嵌合する。これにより、第２挟持部材１１を第１挟持部材１０に組み付けることができる。
【００６８】
最後に、第２挟持部材１１が組み付けられた第１挟持部材１０に、図８に示す回動操作部材１２を組み付ける。具体的には、回動操作部材１２を図３に示す状態に保持した状態で、回動操作部材１２の一対の回動軸部分４１、４２の傾斜面４１Ａ、４２Ａを、第１挟持部材１０の軸受け部分２２、２３の傾斜面２２Ｂ、２３Ｂに押し付ける。この押し付けに伴って、軸受け部分２２、２３が互いに離間するように弾性変形することにより、回動軸部分４１、４２を第１挟持部材１０の長孔２２Ａ、２３Ａに嵌合させる。これにより、回動操作部材１２を第１挟持部材１０に組み付けることができる。回動操作部材１２を組み付けた状態において、回動操作部材１２の押圧突出部分４３は、図３に示すように、支持部材１４の上方湾曲部分３０Ａの前面に接触する状態に配置される。この配置により、支持部材１４の前方突出部分３１Ａおよび後方突出部分３１Ｂが、屈曲部分２１Ｂおよび円弧状の受け面から離脱することを防止することができる。回動軸部分４１、４２が長孔２２Ａ、２３Ａに嵌合した状態において、上方湾曲部分３０Ａの前面から押圧突出部分４３に作用する弾性力により、回動軸部分４１、４２は、図３および図１０に示すように、長孔２２Ａ、２３Ａの左側の内面に押し付けられる。
【００６９】
（留め具１を胸ポケットＰＴに対して装着または離脱する場合）
留め具１を上着ＴＳの胸ポケットＰＴに対して装着または離脱する場合について図面を参照して説明する。図３に示すように、挟持部分１３、１６が互いに離間した状態において、回動操作部材１２の押圧突出部分４３は支持部材１４の上方湾曲部分３０Ａの前面に接触する。この接触状態において、上方湾曲部分３０Ａは、ほとんど弾性変形していない状態にある。回動軸部分４１、４２に向かう方向とは異なる方向に上方湾曲部分３０Ａから小さな弾性力が押圧突出部分４３に作用し、その弾性力が回動操作部材１２を時計回り方向に回動させるように作用する。回動操作部材１２の回動部分１７の一部分が屈曲部分２１Ｂに当接することにより、または、回動操作部材１２の自重と弾性力との均衡により、回動操作部材１２は、第２挟持部材１１から時計回り方向に約９０度回動した角度位置に保持され、また第１挟持部材１０から時計回り方向に９０度以上回動した角度位置に保持される。
【００７０】
先ず、挟持部分１３が胸ポケットＰＴの内側に位置するとともに、挟持部分１６が胸ポケットＰＴの外側に位置するように、ユーザは、図３に示す状態の留め具１を胸ポケットＰＴに配置する。次に、ユーザは、回動操作部材１２のホイッスル部分１８を手指により保持して回動操作部材１２を反時計回り方向に回動操作する。この回動操作により、押圧突出部分４３は上方湾曲部分３０Ａの前面を押圧し、上方湾曲部分３０Ａの弾性力に抗して支持部材１４が後方に回動する。支持部材１４の回動に従って、挟持部分１６が挟持部分１３に接近する。押圧突出部分４３が、図１０に示すように、上方湾曲部分３０Ａの前面に対して垂直に位置するまで、回動操作部材１２が回動すると、ホイッスル部分１８の後壁４７は、胸ポケットＰＴの布地を介して屈曲部分２１Ｂの当接突出部分３４に当接する。このホイッスル部分１８の後壁４７の当接状態において、上方湾曲部分３０Ａの弾性変形に応じた大きな弾性力が回動軸部分４１、４２に向かう方向に押圧突出部分４３に作用する。本実施形態では、回動操作部材１２が回動するときに、上方湾曲部分３０Ａが弾性変形するとともに、支持部材１４の前方突出部分３１Ａおよび後方突出部分３１Ｂと嵌合する第１挟持部材１０の保持部分２１も弾性変形する。回動軸部分４１、４２に向かう方向の弾性力により、ホイッスル部分１８の後壁４７の当接状態が保持される。この当接状態が保持されている間、両挟持部分１３、１６は、上方湾曲部分３０Ａの弾性変形に応じた強い弾性力により胸ポケットＰＴの布地を挟持する。この結果、留め具１は胸ポケットＰＴに装着される。留め具１の装着状態において、ホイッスル部分１８の下方端部は、図１０に示すように、取付ループ部分３６の下方端部より上方に位置することから、ホイッスル部分１８が名札ＮＴの表示領域を覆うことはない。
【００７１】
次に、胸ポケットＰＴに装着された留め具１を離脱させるために、ユーザは、図１０に示すように、挟持部分１３、１６が互いに接近した状態にある留め具１の回動操作部材１２のホイッスル部分１８を手指により保持して回動操作部材１２を時計回り方向に回動操作する。この回動操作が開始されると、回動軸部分４１、４２に向かう方向と異なる方向に上方湾曲部分３０Ａから弾性力が押圧突出部分４３に作用し、この弾性力と回動操作力とにより、回動操作部材１２は、図３に示すように、第２挟持部材１１から時計回り方向に約９０度回動した角度位置まで回動して、その角度位置に保持される。回動操作部材１２の回動に伴って、支持部材１４を含む第２挟持部材１１が前方に回動する。第２挟持部材１１の回動により、挟持部分１６が挟持部分１３から離間して、胸ポケットＰＴの布地の挟持が解除される。この結果、ユーザは、留め具１を胸ポケットＰＴから離脱させることができる。
【００７２】
（ホイッスル部分１８を使用する場合）
火災などの災害が発生したときに、ホイッスル部分１８を使用する場合について図面を参照して説明する。災害が発生したときに、留め具１を装着しているユーザは、上述したように、留め具１を胸ポケットＰＴから離脱させる。離脱された留め具１は、図３に示す状態にあることから、ユーザは、ホイッスル部分１８を手指により保持し、吹き込み口５０から空気を吹き込み、警報音を発生させる。回動操作部材１２は、図３に示すように、第２挟持部材１１および第１挟持部材１０から約９０度回動した角度位置に保持されることから、ユーザは、第２挟持部材１１および第１挟持部材１０に邪魔されることなく、回動操作部材１２の先端部に位置する吹き込み口５０を容易に口に咥えることができる。
【００７３】
［第１実施形態の効果］
本実施形態では、ユーザは、手指によりホイッスル部分１８を保持して回動操作部材１２を回動操作することにより、胸ポケットＰＴに対して留め具１を装着または離脱させることができる。また、留め具１を離脱させたときに、ホイッスル部分１８は、第２挟持部材１１および第１挟持部材１０から約９０度回動した角度位置に離間して位置することから、ユーザは、回動操作部材１２の先端部分に位置する吹き込み口５０を、第２挟持部材１１および第１挟持部材１０に邪魔されることなく、容易に口に咥えることができる。
【００７４】
本実施形態では、ホイッスル部分１８の吹き込み口５０は、第２挟持部材１１の挟持部分１６よりも、回動操作部材１２の回動軸部分４１、４２から離れて配置される。具体的には、図１０に示すように、吹き込み口５０は、第２挟持部材１１の挟持部分１６より下方であって、取付部材１５のフック部分３６Ａの最下方端部より僅かに上方の位置に配置されることから、留め具１を離脱させたときに、第２挟持部材１１の挟持部分１６および取付部材１５から吹き込み口５を大きく離間させることができ、ユーザは吹き込み口５０を第２挟持部材１１に邪魔されることなく一層容易に口に咥えることができる。また、吹き込み口５０が、第２挟持部材１１の挟持部分１６よりも回動軸部分４１、４２から離れて配置されることから、ユーザは、吹き込み口５０の近傍のホイッスル部分１８の先端部分を手指により保持して、比較的に小さい操作力により回動操作部材１２を回動操作することができる。
【００７５】
本実施形態では、第２挟持部材１１の取付部材１５は、支持部材１４の軸部分３２Ａ、３３Ａの周りに回動可能に組み付けられる。この結果、挟持部分１３と挟持部分１６とが離間した図３に示す状態、および挟持部分１３と挟持部分１６とが接近した図１０に示す状態のいずれの状態であっても、ユーザは、取付部材１５を回動させることにより、取付部材１５および取付部材１５に取り付けられた名札ＮＴを吹き込み口５０から離間させることができ、取付部材１５および取付部材１５に取り付けられた名札ＮＴに邪魔されることなく、吹き込み口５０を一層容易に口に咥えることができる。
【００７６】
本実施形態では、切欠部分５５が、フック部分３６Ａの先端部３６Ａ１を収容するために、ホイッスル部分１８の後壁４７において、吹き込み口５０から上方に形成される。この結果、ホイッスル部分１８の後壁４７が支持部材１４の当接突出部分３４と当接した図１０に示す状態であっても、取付部材１５を支持部材１４の軸部分３２Ａ、３３Ａの周りに回動させることができる。取付部材１５を回動させることにより、ユーザは、吹き込み口５０を一層容易に口に咥えることができる。
【００７７】
本実施形態では、挟持部分１３は、円形状に配列された複数の係止突起２４を備え、取付部材１５の挟持部分１６は、円形内壁３５Ｂと円形外壁３５Ｃとにより構成される円形の係止溝３５Ｄを備える。この結果、挟持部分１３と挟持部分１６との間で胸ポケットＰＴの布地を挟持した状態で、取付部材１５を回動させたとしても、係止溝３５Ｄは布地上を摺動することができることから、ユーザは、布地を損傷させることなく、取付部材１５に取り付けられた名札ＮＴの表示位置を調整することができる。
【００７８】
本実施形態では、ホイッスル部分１８の後壁４７が支持部材１４の当接突出部分３４と当接した図１０に示す状態において、回動操作部材１２の押圧突出部分４３は、支持部材１４の上方湾曲部分３０Ａから、回動軸部分４１、４２に向かう方向の大きな弾性力を受ける。この結果、ホイッスル部分１８の後壁４７と支持部材１４の当接突出部分３４との当接状態が強い弾性力により保持され、胸ポケットＰＴに対する留め具１の装着状態を確実に維持することができる。また、ホイッスル部分１８の後壁４７と支持部材１４の当接突出部分３４との当接状態において、フック部分３６Ａの先端部３６Ａ１が、切欠部分５５を形成するホイッスル部分１８の後壁と当接する。この結果、フック部分３６Ａに取り付けられた名札ＮＴが、舌状部分３６Ｂの先端部３６Ｂ１とフック部分３６Ａの先端部３６Ａ１との間から脱落することを確実に防止することができる。
【００７９】
＜第２実施形態＞
以下に、本発明の第２実施形態に係る名札装着用の留め具について、図面を参照して説明する。図１１は、中子部材４０およびストラップ保持部材２００が分離された状態において第２実施形態の留め具１を前方から見た斜視図であり、図１２は、第１挟持部材１１０の挟持部分１１３と第２挟持部材１１の挟持部分１６とが接近した状態において、中子部材４０およびストラップ保持部材２００が取り付けられた留め具１の左側断面図である。第２実施形態の留め具１は、第１挟持部材１１０およびストラップ保持部材２００の構成について、第１実施形態の留め具１と相違するので、その相違する構成についてのみ詳述する。第２実施形態において、第１実施形態と同一部分には同一の番号または記号を付して説明する。
【００８０】
第２実施形態の留め具１は、ストラップ保持部材２００を備える。ストラップ保持部材２００は、第１挟持部材１１０の上方部分に着脱可能に取り付けられる。
【００８１】
（第１挟持部材１１０の詳細な構成）
第１挟持部材１１０は、弾力性がある合成樹脂材料から成形される。本実施形態では、第１挟持部材１１０の合成樹脂材料として、ポリアセタール樹脂が使用される。図１２において、第１挟持部材１１０は、上下方向に延びる板状の挟持基体部分１２０と、保持部分１２１と、一対の軸受け部分１２２、１２３と、装着部分１２４とを備える。
【００８２】
挟持部分１１３は、挟持基体部分１２０の下方部分であって、挟持基体部分１２０の前面に配置され、第１実施形態の第１挟持部材１０の挟持部分１３と同じ構成を有する。保持部分１２１は、挟持基体部分１２０の上方部分から前方に延びる延出部分１２１Ａと、その延出部分１２１Ａの先端に形成された屈曲部分１２１Ｂと、一対の円弧状の受け面（図１２に受け面１２１Ｆのみを示す）とを備える。延出部分１２１Ａ、屈曲部分１２１Ｂ、および円弧状の受け面１２１Ｆは、第１実施形態の第１挟持部材１０の延出部分２１Ａ、屈曲部分２１Ｂ、および円弧状の受け面２１Ｆとほぼ同じ構成を有する。一対の軸受け部分１２２、１２３は、前後方向に長い長孔１２２Ａ、１２３Ａを備える。また、軸受け部分１２２、１２３は、図１１に示すように、互いに向き合う内側面であって、長孔１２２Ａ、１２３Ａより前方に一対の傾斜面１２２Ｂ、１２３Ｂを有する。軸受け部分１２２、１２３は、第１実施形態の第１挟持部材１０の軸受け部分２２、２３と同じ構成を有する。
【００８３】
装着部分１２４は、挟持基体部分１２０の上方部分の後方側に配置される。装着部分１２４は、収容凹所１２４Ａと、一対の右側係止突起１２４Ｂ、１２４Ｃと、一対の左側係止突起とを備える。収容凹所１２４Ａは、左右方向および上下方向に延び、左右方向および上方に開口して形成される。一対の右側係止突起１２４Ｂ、１２４Ｃは、収容凹所１２４Ａの開口の右側の近傍に、互いに向かい合う状態で突出して形成される。一対の左側係止突起は、収容凹所１２４Ａの開口の左側の近傍に、互いに向かい合う状態で突出して形成され、右側係止突起１２４Ｂ、１２４Ｃと同様な構成を有する。図１１には、右側係止突起１２４Ｂ、１２４Ｃのみが示される。開口部分１２１Ｅが、保持部分１２１の一対の円弧状の受け面が形成される領域を通って、挟持基体部分１２０および装着部分１２４を前後方向に貫通して形成される。
【００８４】
（ストラップ保持部材２００の詳細な構成）
ストラップ保持部材２００は、弾力性がある合成樹脂材料から成形される。本実施形態では、ストラップ保持部材２００の合成樹脂材料として、ポリアセタール樹脂が使用される。ストラップ保持部材２００は、基体部分２０１と、ストラップ係止部分２０２と、一対の装着腕部分２０３、２０４とを主に備える。ストラップ係止部分２０２は、図１２に示すように、基体部分２０１から前方に延び、１８０度屈曲して形成される。ストラップ係止部分２０２は、複数の上方係止爪２０２Ａと、複数の下方係止爪２０２Ｂとを備える。上方係止爪２０２Ａおよび下方係止爪２０２Ｂは、図１２に示すように、互いに向き合った状態で突出して形成される。ユーザが首などから吊り下げるストラップの一部が、両係止爪２０２Ａ、２０２Ｂの間に挿通されて挟持される。
【００８５】
一対の装着腕部分２０３、２０４が、左右方向に並んだ状態で、基体部分２０１の下面から垂下して形成される。右側装着腕部分２０３は、略Ｖ字状に屈曲して形成され、垂下部分２０３Ａと、弾性腕部分２０３Ｂと、張出し操作部分２０３Ｃとを備える。弾性腕部分２０３Ｂは、垂下部分２０３Ａから右方に開くように垂下部分２０３Ａの下方端部から上方に傾斜して延びる。弾性腕部分２０３Ｂの上方端部が垂下部分２０３Ａに対して接近したり離間したりするように、弾性腕部分２０３Ｂは弾性変形可能に構成される。張出し操作部分２０３Ｃは、弾性腕部分２０３Ｂから右方に張り出して形成される。操作摘み部分２０３Ｄが、張出し操作部分２０３Ｃの右先端部に形成される。係止溝２０３Ｅが、弾性腕部分２０３Ｂと操作摘み部分２０３Ｄとの間で、上下方向に延びて形成される。係止溝２０３Ｅの延びる方向は、弾性腕部分２０３Ｂの傾斜する方向とほぼ同じ方向である。左側装着腕部分２０４も、右側装着腕部分２０３と同様な構成を有し、垂下部分２０４Ａと、弾性腕部分２０４Ｂと、張出し操作部分２０４Ｃと、操作摘み部分２０４Ｄと、係止溝２０４Ｅとを備える。
【００８６】
［第２実施形態の動作および作用］
第１挟持部材１１０に対してストラップ保持部材２００を装着または離脱する場合における動作および作用について図面を参照して説明する。なお、留め具１を組み立てる場合、留め具１を胸ポケットＰＴに対して装着および離脱する場合、および留め具１のホイッスル部分１８を使用する場合における動作および作用は、第１実施形態と同様であるので、その説明を省略する。
【００８７】
（第１挟持部材１１０に対してストラップ保持部材２００を装着または離脱する場合）
ユーザは、首に掛けたストラップに名札ＮＴを取り付けたい場合には、ストラップの一部を保持するストラップ保持部材２００を第１挟持部材１１０に取り付ける必要がある。先ず、ユーザは、手指により、２つの操作摘み部分２０３Ｄ、２０４Ｂを保持して両操作摘み部分２０３Ｄ、２０４Ｂが互いに接近するように両操作摘み部分２０３Ｄ、２０４Ｂを押圧する。この押圧操作により、弾性腕部分２０３Ｂ、２０４Ｂは垂下部分２０３Ａ、２０４Ａに接近するように弾性変形する。
【００８８】
次に、ユーザは、弾性腕部分２０３Ｂ、２０４Ｂが弾性変形して垂下部分２０３Ａ、２０４Ａに接近した状態のまま、収容凹所１２４Ａの上方に開口する部分から両装着腕部分２０３、２０４を収容凹所１２４Ａに押し込む。この押し込み操作の際に、右側係止突起１２４Ｂ、１２４Ｃが、前方および後方の両側において、右側係止溝２０３Ｅにそれぞれ嵌合する。同時に、左側係止突起も、前方および後方の両側において、左側係止溝２０４Ｅにそれぞれ嵌合する。両装着腕部分２０３、２０４の押し込み操作に従って、右側係止溝２０３Ｅおよび左側係止溝２０４Ｅが下方に移動して右側係止突起１２４Ｂ、１２４Ｃおよび左側係止突起をそれぞれ通過したときに、両係止溝２０３Ｅ、２０４Ｅは左右両側の係止突起との嵌合から解放される。この嵌合からの解放により、右側弾性腕部分２０３Ｂは弾性変形から解放されて垂下部分２０３Ａから右方に移動して開くとともに、左側弾性腕部分２０４Ｂも、同様に垂下部分２０４Ａから左方に移動して開く。両弾性腕部分２０３Ｂ、２０４Ｂが開いたときに、右側弾性腕部分２０３Ｂの上方端部は右側係止突起１２４Ｂ、１２４Ｃの下方端部と係合する。同時に、左側弾性腕部分２０４Ｂの上方端部も左側係止突起の下方端部と係合する。両弾性腕部分２０３Ｂ、２０４Ｂの上方端部の係合により、両装着腕部分２０３、２０４が収容凹所１２４Ａから脱落することが防止される。この結果、ストラップ保持部材２００が第１挟持部材１１０に装着される。
【００８９】
ユーザは、ストラップを使用せずに、胸ポケットＰＴに名札ＮＴを装着したい場合には、留め具１からストラップ保持部材２００を離脱させる必要がある。先ず、ユーザは、留め具１を胸ポケットＰＴから取り外した状態において、第１挟持部材１１０に装着されたストラップ保持部材２００の両操作摘み部分２０３Ｄ、２０４Ｂが互いに接近するように、手指により両操作摘み部分２０３Ｄ、２０４Ｂを保持して押圧する。この押圧操作により、弾性腕部分２０３Ｂ、２０４Ｂは垂下部分２０３Ａ、２０４Ａに接近するように弾性変形する。両弾性腕部分２０３Ｂ、２０４Ｂの接近により、両弾性腕部分２０３Ｂ、２０４Ｂの上方端部が、右側係止突起１２４Ｂ、１２４Ｃの下方端部との係合、および左側係止突起の下方端部との係合からそれぞれ解放される。
【００９０】
次に、ユーザは、右側係止突起１２４Ｂ、１２４Ｃが右側係止溝２０３Ｅに嵌合するとともに、左側係止突起が左側係止溝２０４Ｅに嵌合した状態のまま、両装着腕部分２０３、２０４を収容凹所１２４Ａから上方に引き上げる。両装着腕部分２０３、２０４の引き上げに従って、両係止溝２０３Ｅ、２０４Ｅが、右側係止突起１２４Ｂ、１２４Ｃおよび左側係止突起をそれぞれ通過したときに、左右両側の係止突起との嵌合から解放される。この嵌合からの解放により、右側弾性腕部分２０３Ｂは弾性変形から解放されて垂下部分２０３Ａから右方に移動して開くとともに、左側弾性腕部分２０４Ｂも、同様に垂下部分２０４Ａから左方に移動して開く。この結果、ストラップ保持部材２００が第１挟持部材１１０から離脱される。
【００９１】
［第２実施形態の効果］
第２実施形態では、ストラップ保持部材２００を第１挟持部材１１０に装着することにより、ユーザは首に掛けたストラップに名札ＮＴを取り付けることができる。また、災害が発生した場合に、ストラップ保持部材２００が第１挟持部材１１０に装着されている状態でも、ユーザは、ストラップ保持部材２００に邪魔されることなく、回動操作部材１２を自由に回動操作することができる。すなわち、第２実施形態でも、第１実施形態と同様に、図３に示すように、第２挟持部材１１および第１挟持部材１１０から時計回り方向に約９０度回動した角度位置に回動操作部材１２を回動させて保持することができ、ユーザは、災害が発生したときに、ホイッスル部分１８の吹き込み口５０を容易に口に咥えて、警報音を発生させることができる。
【００９２】
さらに、第２実施形態では、ホイッスル部分１８が回動部分１７に連結される構成であることから、装着部分１２４を備える第１挟持部材１１０にホイッスル部分１８を連結する構成に比べて、第１挟持部材１１０が上下方向に長くなったり、前後方向に厚くなったりすることを避けることができる。また、装着部分１２４が回動操作部材１２の回動軸部分４１、４２の配置位置より上方に配置されることから、ユーザは、装着部分１２４およびストラップ保持部材２００に邪魔されることなく、回動操作部材１２を回動操作することができる。
【００９３】
＜第３実施形態＞
以下に、本発明の第３実施形態に係る名札装着用の留め具について、図面を参照して説明する。図１３は、中子部材４０およびホイッスル部材３００を分離した状態において第３実施形態の留め具１を前方から見た斜視図であり、図１４は、第１挟持部材１０の挟持部分１３と第２挟持部材１１の挟持部分１６とが接近した状態において、中子部材４０およびホイッスル部材３００が組み付けられた留め具１の左側断面図である。第３実施形態の留め具１は、ホイッスル部材および回動部材の構成について、第１実施形態の留め具１と相違するので、その相違する構成についてのみ詳述する。第３実施形態において、第１実施形態と同一部分には同一の番号または記号を付して説明する。
【００９４】
第３実施形態の留め具１は、第１実施形態の回動操作部材１２に代えて、ホイッスル部材３００と、回動部材４００とを備える。ホイッスル部材３００は、回動可能に回動部材４００に取り付けられる。第３実施形態の第１挟持部材１０および第２挟持部材１１は、第１実施形態とほぼ同じ構成である。
【００９５】
（ホイッスル部材３００の詳細な構成）
中子部材４０を除いたホイッスル部材３００は、合成樹脂材料から成形される。本実施形態では、ホイッスル部材３００の合成樹脂材料として、ＡＢＳ樹脂が使用される。ホイッスル部材３００は、上下方向に延びる直方体形状を有し、上壁３４５と、前壁３４６と、後壁３４７と、右壁３４８と、左壁３４９とを備える。吹き込み口３５０が、ホイッスル部材３００の下方部分に開口して形成される。収容室３５１が吹き込み口３５０からホイッスル部材３００の内部に形成され、共鳴室３５２が収容室３５１に連通してホイッスル部材３００の内部に形成される。排気口３５３が、前壁３４６に形成される。中子部材４０は、第１実施形態と同じ構成であり、第１実施形態と同じ方法により収容室３５１の内部に組み付けられる。
【００９６】
回動軸部分３０１が、ホイッスル部材３００の後壁３４７から後方に突出して形成される。係止鍔部分３０２は、円形状を有し、回動軸部分３０１の先端部分に連結される。係止鍔部分３０２は、回動軸部分３０１より大きな直径を有する。図１４において、回動軸部分３０１は、ホイッスル部材３００の上下方向の中央位置より上方に配置される。
【００９７】
（回動部材４００の詳細な構成）
回動部材４００は、合成樹脂材料から成形される。回動部材４００の合成樹脂材料として、第１挟持部材１０の合成樹脂材料、および、第２挟持部材１１の支持部材１４並びに取付部材１５の合成樹脂材料とは、硬さおよび摩擦係数の異なる合成樹脂材料が使用されることが好ましい。本実施形態では、回動部材４００の合成樹脂材料として、ＡＢＳ樹脂が使用される。回動部材４００は、回動部分４０１と、板状部分４０２とを備える。回動部分４０１は、左右方向に延びる一対の回動軸部分４４１、４４２と、押圧突出部分４４３とを備える。一対の回動軸部分４４１、４４２は、第１実施形態の回動軸部分４１、４２と同様に、先端部に傾斜面を有する。それらの傾斜面が一対の軸受け部分２２、２３を弾性変形させて外方に押し広げることにより、一対の回動軸部分４４１、４４２は、一対の軸受け部分２２、２３の長孔２２Ａ、２３Ａにそれぞれ嵌合する。押圧突出部分４４３は、第２挟持部材１１の上方湾曲部分３０Ａの前面に接触する。
【００９８】
板状部分４０２は、長方形の形状を有し、回動部分４０１の下方部分に連結される。板状部分４０２の左右方向の幅は、ホイッスル部材３００とほぼ同じ幅であり、板状部分４０２の上下方向の長さは、上下方向において板状部分４０２の下端部分が第２挟持部材１１の支持部材１４の下端部分と同じ位置になるような長さに設定される。板状部分４０２は、図１４に示すように、下方端部に近接した領域に、係止開口部分４０３と、係止開口部分４０３と前後方向に連通する収容開口部分４０４とを備える。係止開口部分４０３は、板状部分４０２の前側の領域において前方に開口して形成される。係止開口部分４０３は、回動軸部分３０１の前後方向の長さとほぼ同じ深さを有し、大径部分４０３Ａと、その大径部分４０３Ａの上方部分に連続する小径部分４０３Ｂとを備える。大径部分４０３Ａは、係止鍔部分３０２の直径より僅かに大きな直径を有する。小径部分４０３Ｂは、回動軸部分３０１の直径より僅かに大きく、かつ係止鍔部分３０２の直径より十分に小さい直径を有する。大径部分４０３Ａと小径部分４０３Ｂとが連続する部分の左右方向の幅は、小径部分４０３Ｂの直径より小さい幅に設定される。
【００９９】
収容開口部分４０４は、板状部分４０２の後側の領域において後方に開口して形成される。収容開口部分４０４は、長孔形状を有し、係止鍔部分３０２の前後方向の長さとほぼ同じ深さを有する。収容開口部分４０４は、大径部分４０３Ａの直径より大きな左右方向の幅と、係止開口部分４０３より大きな上下方向の長さとを有する。
【０１００】
［第３実施形態の動作および作用］
ホイッスル部材３００を回動部材４００に組み付ける場合、およびホイッスル部材３００を使用する場合における動作および作用について図面を参照して説明する。なお、留め具１を組み立てる場合、および留め具１を胸ポケットＰＴに対して装着および離脱する場合における動作および作用は、第１実施形態と同様であるので、その説明を省略する。
【０１０１】
（ホイッスル部材３００を回動部材４００に組み付ける場合）
先ず、ユーザは、ホイッスル部材３００の係止鍔部分３０２を、板状部分４０２の大径部分４０３Ａから嵌入させて収容開口部分４０４の内部に収容する。係止鍔部分３０２を収容開口部分４０４の内部に収容した状態において、ホイッスル部材３００の回動軸部分３０１は、板状部分４０２の大径部分４０３Ａの内部に位置する。次に、回動軸部分３０１が大径部分４０３Ａの内部に位置した状態において、ユーザは、ホイッスル部材３００を上方に移動させて回動軸部分３０１を小径部分４０３Ｂに嵌合させる。大径部分４０３Ａと小径部分４０３Ｂとが連続する部分の左右方向の幅が小径部分４０３Ｂの直径より小さいことから、回動軸部分３０１を小径部分４０３Ｂに嵌合させる際に、その連続する部分は、弾性変形して回動軸部分３０１により左右方向に押し広げられる。
【０１０２】
回動軸部分３０１が小径部分４０３Ｂに嵌合した状態において、大径部分４０３Ａと小径部分４０３Ｂとが連続する部分の左右方向の幅が小径部分４０３Ｂの直径より小さいことから、回動軸部分３０１と小径部分４０３Ｂとの嵌合状態が保持される。この結果、ホイッスル部材３００は、ホイッスル部材３００の後壁３４７と板状部材４０２の前面とが圧着した状態で、回動部材４００の板状部材４０２に回動可能に組み付けられる。ユーザは、回動部材４００に対してホイッスル部材３００を任意の角度位置に回動することができる。ホイッスル部材３００の角度位置は、ホイッスル部材３００の後壁３４７と板状部材４０２の前面との間に作用する摩擦抵抗により保持される。
【０１０３】
（ホイッスル部材３００を使用する場合）
火災などの災害が発生したときに、ホイッスル部材３００を使用する場合について説明する。災害が発生したときに、留め具１を装着しているユーザは、ホイッスル部材３００を手指により保持してホイッスル部材３００および回動部材４００を時計回り方向に回動操作する。この回動操作により、第１実施形態と同様に、第３実施形態の留め具１を胸ポケットＰＴから離脱させることができる。離脱された留め具１のホイッスル部材３００は、第２挟持部材１１から時計回り方向に約９０度回動していることから、ユーザは、ホイッスル部材３００を手指により保持し、第２挟持部材１１および第１挟持部材１０に邪魔されることなく、吹き込み口３５０を容易に口に咥えることができる。また、ホイッスル部材３００は、回動軸部分３０１の軸線の周りに、すなわち、回動部分４０１の回動軸部分４４１、４４２の軸線、および回動部分４０１から板状部分４０２が延びる方向とそれぞれ直交する軸線の周りに、回動可能に板状部材４０２に組み付けられることから、ホイッスル部材３００を任意の角度位置に回動させて吹き込み口３５０を一層容易に口に咥えることができる。ホイッスル部材３００を任意の角度位置に回動させたときには、図１４に示すように挟持部分１３と挟持部分１６とが接近した状態であっても、吹き込み口３５０を取付部材１５などの他の部材から離間させることができ、留め具１の状態に関係なく吹き込み口３５０を容易に口に咥えることができる。
【０１０４】
［第３実施形態の効果］
第３実施形態では、ホイッスル部材３００が回動部材４００の板状部材４０２に回動可能に組み付けられることから、胸ポケットＰＴに対して留め具１を装着または離脱させるときに、ユーザはホイッスル部材３００を手指により保持して回動操作することができ、留め具１の装着または離脱を容易に行うことができる。また、挟持部分１３と挟持部分１６とが接近した状態と離間した状態とのいずれの状態であっても、ユーザは、ホイッスル部材３００を回動軸部分３０１の軸線の周りに任意な角度位置に回動させることにより、ホイッスル部材３００の吹き込み口３５０を、第２挟持部材１１の取付部材１５から離すことができ、第２挟持部材１１などの他の部材に邪魔されずに、吹き込み口３５０を容易に口に咥えることができる。
【０１０５】
第３実施形態では、図１４に示すように、回動軸部分３０１は、ホイッスル部材３００の上下方向の中央位置より上方に配置される。この結果、ホイッスル部材３００を回動軸部分３０１の軸線の周りに回動させたときに、ユーザは、吹き込み口３５０を第２挟持部材１１の取付部材１５から大きく離すことができ、第２挟持部材１１などの他の部材に邪魔されずに、吹き込み口３５０を容易に口に咥えることができる。
【０１０６】
＜第４実施形態＞
以下に、本発明の第４実施形態に係る名札装着用の留め具について、図面を参照して説明する。図１５は、第４実施形態の留め具１を前方から見た斜視図であり、図１６は、第１挟持部材５００の挟持部分５１３と第２挟持部材１１の挟持部分１６とが接近した状態における留め具１の左側断面図である。第４実施形態の留め具１は、第１挟持部材、ホイッスル部分、および回動操作部材の構成について、第１実施形態の留め具１と相違するので、その相違する構成についてのみ詳述する。第４実施形態において、第１実施形態と同一部分には同一の番号または記号を付して説明する。
【０１０７】
第４実施形態の留め具１は、第１挟持部材５００と、第２挟持部材１１と、回動操作部材６００とを主に備える。第２挟持部材１１は、第１実施形態とほぼ同じ構成である。
【０１０８】
（第１挟持部材５００の詳細な構成）
第１挟持部材５００は、中子部材４０を除いて、弾力性がある合成樹脂材料から一体成形される。本実施形態では、第１挟持部材５００の合成樹脂材料として、ポリアセタール樹脂が使用される。図１５において、第１挟持部材５００は、ホイッスル部分５１８と、上下方向に延びる板状の挟持基体部分５２０と、保持部分５２１と、一対の軸受け部分５２２、５２３とを備える。挟持部分５１３は、挟持基体部分５２０の下方部分であって、挟持基体部分５２０の前面に配置される。ホイッスル部分５１８は、挟持基体部分５２０の後方側であって、上下方向の全領域に形成される。
【０１０９】
保持部分５２１は、挟持基体部分５２０から前方に延びる延出部分５２１Ａと、その延出部分５２１Ａの先端に形成された屈曲部分５２１Ｂと、一対の保持突起５２１Ｃ、５２１Ｄとを備える。一対の保持突起５２１Ｃ、５２１Ｄは、延出部分５２１Ａの下面であって、延出部分５２１Ａと挟持基体部分５２０との連結部分に近接した位置に、左右方向に所定間隔をおいて配置される。また、保持部分５２１は、一対の円弧状の受け面を備える。一対の円弧状の受け面は、挟持基体部分５２０と一対の軸受け部分５２２、５２３とが連結される左右両側の連結部分の近傍に配置され、図１６において左側の受け面５２１Ｆのみが示される。
【０１１０】
一対の軸受け部分５２２、５２３は、前後方向に長い長孔５２２Ａ、５２３Ａを備える。また、軸受け部分５２２、５２３は、図１５に示すように、互いに向き合う内側面であって、長孔５２２Ａ、５２３Ａより前方に一対の傾斜面５２２Ｂ、５２３Ｂを有する。保持部分５２１、一対の軸受け部分５２２、５２３、一対の円弧状の受け面、および挟持部分５１３は、第１実施形態の保持部分２１、一対の軸受け部分２２、２３、一対の円弧状の受け面、および挟持部分１３とほぼ同じ構成を有する。
【０１１１】
（ホイッスル部分５１８の詳細な構成）
ホイッスル部分５１８は、挟持基体部分５２０と向き合って上下方向に延びる後壁５３０と、右壁５３１と、左壁５３２と、円弧状の下壁５３３とを備え、挟持基体部分５２０がホイッスル部分５１８の前壁として機能する。挟持基体部分５２０前後方向の肉厚は、剛性を確保するために、後壁５３より十分に厚く設定される。
【０１１２】
吹き込み口５５０が、ホイッスル部分５１８の上方部分に開口して形成される。収容室５５１が吹き込み口５５０からホイッスル部分５１８の内部に形成され、共鳴室５５２が収容室５５１に連通してホイッスル部分５１８の内部に形成される。排気口５５３が、後壁５３０に形成される。中子部材４０が収容室５５１の内部に組み付けられる。中子部材４０は、第１実施形態と同じ構成である。
【０１１３】
吹き込み口５５０は、保持部分５２１から上方に離間して配置される。その離間する距離は、ユーザが吹き込み口５５０を口に咥えたときに、保持部分５２１に邪魔されない距離であって、留め具１を胸ポケットＰＴに装着したときに、胸ポケットＰＴから上方に突出するホイッスル部分５１８の一部分がユーザにとって邪魔にならない距離に設定される。
【０１１４】
（回動操作部材６００の詳細な構成）
回動操作部材６００は、合成樹脂材料から成形される。回動操作部材６００の合成樹脂材料として、第１挟持部材５００の合成樹脂材料、および、第２挟持部材１１の支持部材１４並びに取付部材１５の合成樹脂材料とは、硬さおよび摩擦係数の異なる合成樹脂材料が使用されることが好ましい。本実施形態では、回動操作部材６００の合成樹脂材料として、ＡＢＳ樹脂が使用される。回動操作部材６００は、回動部分６０１と、その回動部分６０１の下方部分に連結された操作レバー部分６０２とを備える。回動部分６０１は、左右方向に延びる一対の回動軸部分６４１、６４２と、押圧突出部分６４３と、一対の案内壁部分６４４、６４５とを備える。一対の回動軸部分６４１、６４２は、先端部に一対の傾斜面（図１５に傾斜面６４１Ａのみを示す）をそれぞれ有する。一対の傾斜面が一対の軸受け部分５２２、５２３を弾性変形させて外方に押し広げることにより、一対の回動軸部分６４１、６４２は、一対の軸受け部分５２２、５２３の長孔５２２Ａ、５２３Ａにそれぞれ嵌合する。押圧突出部分６４３は、第２挟持部材１１の上方湾曲部分３０Ａの前面に接触する。一対の案内壁部分６４４、６４５は、第１挟持部材５００の屈曲部分５２１Ｂの左右両側面とそれぞれ接触して、回動部分６０１が左右方向にずれないように回動部分６０１を案内する。回動部分６０１は、第１実施形態の回動部分１７とほぼ同じ構成である。
【０１１５】
操作レバー部分６０２は、ユーザが手指により保持することができるように上下方向の長さおよび左右方向の幅を有する。挟持部分５１３と挟持部分１６とが接近した状態において、操作レバー部分６０２の後面は、図１６に示すように第２挟持部材１１の支持部材１４の前面に当接する。
【０１１６】
［第４実施形態の動作および作用］
留め具１のホイッスル部分５１８を使用する場合における動作および作用について図面を参照して説明する。留め具１を組み立てる場合、および留め具１を胸ポケットＰＴに対して装着および離脱する場合における動作および作用は、第１実施形態とほぼ同じである。すなわち、第４実施形態の第１挟持部材５００および回動操作部材６００が、第１実施形態の第１挟持部材１０および回動操作部材１２に相当すると考えれば、両実施形態の動作および作用はほぼ同じになることから、その説明を省略する。
【０１１７】
（ホイッスル部分５１８を使用する場合）
火災などの災害が発生したときに、留め具１を装着しているユーザは、操作レバー部分６０２を手指により保持して時計回り方向に回動操作する。この回動操作により、第１実施形態と同様に、第４実施形態の留め具１を胸ポケットＰＴから離脱させることができる。離脱された留め具１のホイッスル部分５１８の吹き込み口５５０は、一対の回動軸部分６４１、６４２の軸線に対して第２挟持部材１１の挟持部分１６の配置位置と反対側、すなわち回動軸部分６４１、６４２より上方に配置されるとともに、第１挟持部材５００の保持部分５２１より上方に離れて配置されていることから、ユーザは、ホイッスル部分５１８を手指により保持し、吹き込み口５５０を口に咥えて、警報音を発生させることができる。
【０１１８】
［第４実施形態の効果］
第４実施形態では、ホイッスル部分５１８の吹き込み口５５０は、一対の回動軸部分６４１、６４２の軸線に対して第２挟持部材１１の配置位置と反対側に配置されるとともに、第１挟持部材５００の保持部分５２１より離れて配置されていることから、ユーザは、ホイッスル部分５１８を手指により保持し、第２挟持部材１１および第１挟持部材５００などの他の部材に邪魔されることなく、吹き込み口５５０を容易に口に咥えることができる。また、図１６に示すように挟持部分５１３と挟持部分１６とが接近した状態であっても、吹き込み口５５０は第２挟持部材１１および第１挟持部材５００などの他の部材から離間していることから、留め具１の状態に関係なく吹き込み口５５０を容易に口に咥えることができる。
【０１１９】
＜第５実施形態＞
以下に、本発明の第５実施形態に係る名札装着用の留め具について、図面を参照して説明する。図１７は、第５実施形態の留め具１を前方から見た斜視図であり、図１８は、第１挟持部材７００の挟持部分７１３と第２挟持部材１１の挟持部分１６とが接近した状態における留め具１の左側断面図である。第５実施形態の留め具１は、第１挟持部材およびホイッスル部材の構成について、第４実施形態の留め具１と相違するので、その相違する構成についてのみ詳述する。第５実施形態において、第４実施形態と同一部分には同一の番号または記号を付して説明する。
【０１２０】
第５実施形態の留め具１は、第１挟持部材７００と、第２挟持部材１１と、回動操作部材６００と、ホイッスル部材８００とを主に備える。第２挟持部材１１および回動操作部材６００は、第４実施形態とほぼ同じ構成である。
【０１２１】
（第１挟持部材７００の詳細な構成）
第１挟持部材７００は、弾力性がある合成樹脂材料から成形される。本実施形態では、第１挟持部材７００の合成樹脂材料として、ポリアセタール樹脂が使用される。第１挟持部材７００は、第１実施形態の第１挟持部材１０と同様な構成を有し、上下方向に延びる板状の挟持基体部分７２０と、保持部分７２１と、一対の軸受け部分７２２、７２３とを備える。挟持部分７１３は、挟持基体部分７２０の下方部分であって、挟持基体部分７２０の前面に配置される。
【０１２２】
保持部分７２１は、挟持基体部分７２０から前方に延びる延出部分７２１Ａと、その延出部分７２１Ａの先端に形成された屈曲部分７２１Ｂと、一対の保持突起７２１Ｃ、７２１Ｄとを備える。一対の保持突起７２１Ｃ、７２１Ｄは、延出部分７２１Ａの下面であって、延出部分７２１Ａと挟持基体部分７２０との連結部分に近接した位置に、左右方向に所定間隔をおいて配置される。また、保持部分７２１は、後方に開放する開口部分７２１Ｅと、一対の円弧状の受け面とを備える。一対の円弧状の受け面は、開口部分７２１Ｅの左右両側に配置され、図１８において左側の受け面７２１Ｆのみが示される。
【０１２３】
一対の軸受け部分７２２、７２３は、前後方向に長い長孔７２２Ａ、７２３Ａを備える。また、軸受け部分７２２、７２３は、図１７に示すように、互いに向き合う内側面であって、長孔７２２Ａ、７２３Ａより前方に一対の傾斜面７２２Ｂ、７２３Ｂを有する。保持部分７２１、一対の軸受け部分７２２、７２３、一対の円弧状の受け面、および挟持部分７１３は、第１実施形態の保持部分２１、一対の軸受け部分２２、２３、一対の円弧状の受け面、および挟持部分１３とほぼ同じ構成を有する。
【０１２４】
挟持基体部分７２０は、図１８に示すように、軸受け部分７２２、７２３と挟持部分７１３との間の領域に係止開口部分７０１を有する。係止開口部分７０１は、第３実施形態の板状部分４０２の係止開口部分４０３と同様な形状に形成され、後述するホイッスル部材８００の回動軸部分８０１の前後方向の長さとほぼ同じ深さを有し、大径部分７０１Ａと、その大径部分７０１Ａの下方部分に連続する小径部分７０１Ｂとを備える。大径部分７０１Ａは、後述するホイッスル部材８００の係止鍔部分８０２の直径より僅かに大きな直径を有する。小径部分７０１Ｂは、回動軸部分８０１の直径より僅かに大きく、かつ係止鍔部分８０２の直径より十分に小さい直径を有する。大径部分７０１Ａと小径部分７０１Ｂとが連続する部分の左右方向の幅は、小径部分７０１Ｂの直径より小さい幅に設定される。
【０１２５】
（ホイッスル部材８００の詳細な構成）
中子部材４０を除いたホイッスル部材８００は、合成樹脂材料から成形される。本実施形態では、ホイッスル部材８００の合成樹脂材料として、ＡＢＳ樹脂が使用される。ホイッスル部材８００は、前壁８２９と、後壁８３０と、右壁８３１と、左壁８３２と、円弧状の下壁８３３とを備える。吹き込み口８５０が、ホイッスル部材８００の上方部分に開口して形成される。収容室８５１が吹き込み口８５０からホイッスル部材８００の内部に形成され、共鳴室８５２が収容室８５１に連通してホイッスル部材８００の内部に形成される。排気口８５３が、後壁８３０に形成される。中子部材４０が収容室８５１の内部に組み付けられる。中子部材４０は、第１実施形態と同じ構成である。
【０１２６】
ホイッスル部材８００を第１挟持部材７００に組み付けるために、第３実施形態の回動軸部分３０１および係止鍔部分３０２と同じ形状の回動軸部分８０１および係止鍔部分８０２が設けられる。回動軸部分８０１は、ホイッスル部材８００の前壁８２９から前方に突出して形成される。係止鍔部分８０２は、円形状を有し、回動軸部分８０１の先端部分に連結される。係止鍔部分８０２は、回動軸部分８０１より大きな直径を有する。図１８において、回動軸部分８０１は、ホイッスル部材８００の上下方向の中央位置より下方に配置される。
【０１２７】
ホイッスル部材８００が第１挟持部材７００に組み付けられた状態において、吹き込み口８５０は、保持部分７２１から上方に離間して配置される。その離間する距離は、ユーザが吹き込み口８５０を口に咥えたときに、保持部分７２１に邪魔されない距離であって、留め具１を胸ポケットＰＴに装着したときに、胸ポケットＰＴから上方に突出するホイッスル部材８００の一部分がユーザにとって邪魔にならない距離に設定される。
【０１２８】
［第５実施形態の動作および作用］
ホイッスル部材８００を第１挟持部材７００に組み付ける場合、およびホイッスル部材８００を使用する場合における動作および作用について図面を参照して説明する。なお、留め具１を組み立てる場合、および留め具１を胸ポケットＰＴに対して装着および離脱する場合における動作および作用は、第１実施形態と同様であるので、その説明を省略する。
【０１２９】
（ホイッスル部材８００を第１挟持部材７００に組み付ける場合）
先ず、ユーザは、ホイッスル部材８００の係止鍔部分８０２を、挟持基体部分７２０の後方から大径部分７０１Ａに嵌入させて挟持基体部分７２０の前方から突出させる。次に、係止鍔部分８０２を挟持基体部分７２０の前方から突出させた状態において、ユーザは、ホイッスル部材８００を下方に移動させて回動軸部分８０１を小径部分７０１Ｂに嵌合させる。大径部分７０１Ａと小径部分７０１Ｂとが連続する部分の左右方向の幅が小径部分７０１Ｂの直径より小さいことから、回動軸部分８０１を小径部分７０１Ｂに嵌合させる際に、その連続する部分は、弾性変形して回動軸部分８０１により左右方向に押し広げられる。
【０１３０】
回動軸部分８０１が小径部分７０１Ｂに嵌合した状態において、大径部分７０１Ａと小径部分７０１Ｂとが連続する部分の左右方向の幅が小径部分７０１Ｂの直径より小さいことから、回動軸部分８０１と小径部分７０１Ｂとの嵌合状態が保持される。この結果、ホイッスル部材８００は、ホイッスル部材３００の前壁８２９と挟持基体部分７２０の後面とが圧着した状態で、第１挟持部材７００の挟持基体部分７２０に回動可能に組み付けられる。ユーザは、第１挟持部材７００に対してホイッスル部材８００を任意の角度位置に回動することができる。ホイッスル部材８００の角度位置は、ホイッスル部材８００の前壁８２９と挟持基体部分７２０の後面との間に作用する摩擦抵抗により保持される。
【０１３１】
（ホイッスル部材８００を使用する場合）
火災などの災害が発生したときに、ホイッスル部材８００を使用する場合について説明する。災害が発生したときに、留め具１を装着しているユーザは、操作レバー部分６０２を手指により保持して時計回り方向に回動操作する。この回動操作により、第１実施形態と同様に、第５実施形態の留め具１を胸ポケットＰＴから離脱させることができる。離脱された留め具１のホイッスル部材８００の吹き込み口８５０は、一対の回動軸部分６４１、６４２の軸線に対して第２挟持部材１１の配置位置と反対側に配置されるとともに、第１挟持部材７００の保持部分７２１より離れて配置されていることから、ユーザは、ホイッスル部材８００を手指により保持し、吹き込み口８５０を口に咥えて、警報音を発生させることができる。
【０１３２】
また、ホイッスル部材８００は、回動軸部分８０１の軸線の周りに、すなわち、回動操作部材６００の回動軸部分６４１、６４２の軸線、および回動操作部材６００の操作レバー部分６０２が延びる方向とそれぞれ直交する軸線の周りに、回動可能に挟持基体部分７２０に組み付けられることから、ホイッスル部材８００を任意の角度位置に回動させて吹き込み口８５０を一層容易に口に咥えることができる。ホイッスル部材８００を任意の角度位置に回動させたときには、図１８に示すように挟持部分７１３と挟持部分１６とが接近した状態であっても、吹き込み口８５０を取付部材１５などの他の部材から離間させることができ、留め具１の状態に関係なく吹き込み口８５０を容易に口に咥えることができる。
【０１３３】
［第５実施形態の効果］
第５実施形態では、ホイッスル部材８００の吹き込み口８５０は、一対の回動軸部分６４１、６４２の軸線に対して第２挟持部材１１の配置位置と反対側に配置されるとともに、第１挟持部材７００の保持部分７２１より離れて配置されていることから、ユーザは、ホイッスル部材８００を手指により保持し、吹き込み口８５０を容易に口に咥えることができる。また、ホイッスル部材８００は、回動軸部分８０１の軸線の周りに回動可能に挟持基体部分７２０に組み付けられることから、ホイッスル部材８００を任意の角度位置に回動させて吹き込み口８５０を一層容易に口に咥えることができる。
【０１３４】
第５実施形態では、図１８に示すように、回動軸部分８０１は、ホイッスル部材８００の上下方向の中央位置より下方に配置される。この結果、ホイッスル部材８００を回動軸部分８０１の軸線の周りに回動させたときに、ユーザは、吹き込み口８５０を第１挟持部材７００から大きく離すことができ、第１挟持部材７００などの他の部材に邪魔されずに、吹き込み口８５０を容易に口に咥えることができる。
【０１３５】
＜構成の対応関係＞
留め具１、胸ポケットＰＴの布地、および名札ＮＴが、本発明の留め具、シート状物、および表示物の一例である。第１挟持部材１０、１１０が、本発明の第１挟持部の一例であり、挟持部分１３、１１３が、本発明の第１挟持部の挟持部分の一例である。第２挟持部材１１、および挟持部分１６が、本発明の第２挟持部、および、その挟持部分の一例である。回動部分１７または回動部材４００が、本発明の回動部の一例であり、ホイッスル部分１８、５１８、またはホイッスル部材３００、８００が、本発明のホイッスル部の一例である。一対の回動軸部分４１、４２、４４１、４４２、６４１、６４２の軸線が、本発明の回動部の回動軸線の一例である。支持部材１４、および取付部材１５が、本発明の支持部材および取付部分の一例である。複数の係止突起２４および円形の係止溝３５Ｄが、本発明の複数の係止突起、および円形の係止溝の一例である。連結片３２、３３の軸部分３２Ａ、３３Ａの軸線が、本発明の取付部分の回動軸線の一例である。当接突出部分３４が、本発明の当接部分の一例である。吹き込み口５０、３５０、５５０、８５０が、本発明の吹き込み口の一例である。ストラップ保持部材２００、およびストラップが、本発明の保持部、および長尺物の一例である。ホイッスル部材３００の回動軸部分３０１の軸線が、本発明のホイッスル部の回動軸線の一例である。回動部分６０１、および操作レバー部分６０２が、本発明の回動部、および操作部の一例である。ホイッスル部材８００の回動軸部分８０１の軸線が、本発明のホイッスル部の回動軸線の一例である。図１６に示す第１挟持部材５００の挟持基体部分５２０の上下方向に延びる壁であって、共鳴室５５２を形成する後側の壁、または図１８に示すホイッスル部材８００の前壁８２９が、本発明のホイッスル部の一対の壁のうちの一方の壁の一例である。図１６に示すホイッスル部５１８の後壁５３０、または図１８に示すホイッスル部材８００の後壁８３０が、本発明のホイッスル部の一対の壁のうちの他方の壁の一例である。図３に示す挟持部分１３と挟持部分１６とが離間した状態における回動操作部材１２の回動部分１７の角度位置が、本発明の離間回動位置の一例である。図１０または図１２に示す挟持部分１３と挟持部分１６とが接近した状態における回動操作部材１２の回動部分１７の角度位置、図１４に示す挟持部分１３と挟持部分１６とが接近した状態における回動部材４００の回動部分４０１の角度位置、図１６または図１８に示す挟持部分５１３、７１３と挟持部分１６とが接近した状態における回動操作部材６００の回動部分６０１の角度位置が、本発明の接近回動位置の一例である。
【０１３６】
＜変形例＞
本発明は、本実施形態に限定されることはなく、その趣旨を逸脱しない範囲において種々の変形が可能である。以下にその変形の一例を述べる。
【０１３７】
（１）第１〜第３実施形態では、ホイッスル部分１８を備える回動操作部材１２、または、ホイッスル部材３００が組み付けられた回動部材４００が回動操作されることにより、留め具１が胸ポケットＰＴから離脱される。この離脱状態において、回動操作部材１２、または回動部材４００は、図３に示すように、第２挟持部材１１から約９０度回動した角度位置、すなわち離間回動位置に保持される。しかし、この離間回動位置は、第２挟持部材１１から約９０度回動した角度位置に限定されることはなく、ユーザが第２挟持部材１１に邪魔されることなく吹き込み口５０、３５０を口に咥えることができるのであれば、９０度より小さい角度位置でもよい。また、第１〜第３実施形態では、第２挟持部材１１の取付部材１５が支持部材１４に対して回動可能であることから、取付部材１５を支持部材１４から回動させれば、離間回動位置は９０度よりも小さい角度位置に設定することができる。特に、第３実施形態では、ホイッスル部材３００が回動部材４００に対して回動可能であることから、離間回動位置は９０度よりも、さらに小さい角度位置に設定することができる。
【０１３８】
（２）第１実施形態では、回動操作部材１２の回動軸部分４１、４２が、回動操作部材１２の一端側に配置され、ホイッスル部分１８の吹き込み口５０が、回動軸部分４１、４２とは反対側の先端部分に配置される構成であるが、この構成に限定されない。たとえば、図１０に示すように両挟持部分が接近した状態において、回動軸部分が回動操作部材の長手方向（上下方向）において中間位置に配置され、ホイッスル部分の吹き込み口が回動軸部分よりも上方に配置される構成でもよい。この変形例の構成では、第１挟持部材と第２挟持部材との連結部分が回動軸部分の配置位置より下方に位置すれば、回動操作部材が回動操作されるときにホイッスル部分が第１挟持部材と干渉することを避けることができる。
【０１３９】
（３）第１〜第５実施形態では、第２挟持部材１１が、支持部材１４と、支持部材１４に回動可能に組み付けられる取付部材１５とを備え、挟持部分１６が取付部材１５に備えられる構成であるが、この構成に限定されない。たとえば、挟持部分が支持部材に備えられる構成でも、取付部材が回動不能に支持部材に固定される構成でもよい。取付部材が回動不能に支持部材に固定される構成である場合、円形状の係止溝３５Ｄを備える挟持部分１６に代えて、複数の係止突起を備える挟持部分であってもよい。
【０１４０】
（４）第１〜第５実施形態では、第１挟持部材１０、５００、７００と第２挟持部材１１とを連結する連結部分、すなわち保持部分２１、１２１、５２１、７２１が、回動軸部分４１、４２、４４１、４４２、６４１、６４２よりも上方に配置される構成であるが、この構成に限定されない。たとえば、第２挟持部材の上方端部分が、第１挟持部材と第２挟持部材とを連結する連結部分よりも上方に配置され、回動操作部材または回動部材が、第２挟持部材の上方端部分に回動可能に連結される構成でもよい。
【０１４１】
（５）第３および第５実施形態では、ホイッスル部材３００、８００が、回動部材４００の板状部分４０２、または第１挟持部材７００の挟持基体部分７２０に回動可能に組み付けられる構成であるが、この構成に限定されない。たとえば、ホイッスル部材が、板状部分または挟持基体部分に、上下方向などの所定の直線方向にスライド可能に組み付けられる構成でも、回動可能かつスライド可能に組み付けられる構成でもよい。
【０１４２】
（６）第１〜第３実施形態では、ホイッスル部分１８、およびホイッスル部材３００の幅は、第１挟持部材１０、１１０の左右方向の幅とほぼ同じに設定され、ホイッスル部分１８、およびホイッスル部材３００の長手方向の長さは、挟持部分１３、１１３と挟持部分１６とが接近した状態において吹き込み口５０、３５０が第２挟持部材１１のフック部分３６Ａの最下方端部より下方に配置されないような上下方向の長さに設定される。このように幅および長さが設定されることにより、留め具１の外観形状がデザイン的にすっきりした印象をユーザに与えることができる。しかし、ホイッスル部分１８、およびホイッスル部材３００の外形寸法は、警報音の周波数と関係することから、ホイッスル部分、およびホイッスル部材の幅を広くしたり、その長手方向の長さを長くしたりする外観形状であってもよい。
【０１４３】
（７）第３および第５実施形態では、ホイッスル部材３００、８００の回動軸部分３０１、８０１の周りの回動位置は、ホイッスル部材３００の後壁３４７またはホイッスル部材８００の前壁８２９と、回動部材４００の板状部分４０２の前面または第１挟持部材７００の挟持基体部分７２０の後面との間の摩擦抵抗により保持される構成であるが、この構成に限定されない。たとえば、ホイッスル部材の回動保持位置に応じて、ホイッスル部材と板状部分または挟持基体部分とが接触する面に、複数の係止突起、および複数の係止溝を設ける構成でもよい。
【０１４４】
（８）第１〜第５実施形態では、第１挟持部材１０、１１０、５００、７００と、第２挟持部材１１の支持部材１４および取付部材１５とは、同じ合成樹脂材料であるポリアセタール樹脂から成形されるが、異なる合成樹脂材料から成形されてもよい。たとえば、第１挟持部材１０、１１０、５００、７００が、ポリアセタール樹脂から成形され、第２挟持部材１１の支持部材１４および取付部材１５が、ポリカーボネート樹脂から成形されてもよい。
【符号の説明】
【０１４５】
１    留め具
１０、１１０、５００、７００    第１挟持部材
１１    第２挟持部材
１２    回動操作部材
１３、１６、１１３、５１３、７１３    挟持部分
１４    支持部材
１５    取付部材
１７、６０１    回動部分
１８、５１８    ホイッスル部分
２４    係止突起
３２Ａ、３３Ａ    軸部分
３４    当接突出部分
３５Ｄ    係止溝
４１、４２、４４１、４４２、６４１、６４２    回動軸部分
５０、３５０、５５０、８５０    吹き込み口
５３、３５３、５５３、８５３    排気口
５５    切欠部分
２００    ストラップ保持部材
３００、８００    ホイッスル部材
３０１、８０１    回動軸部分
６０２    操作レバー部分
ＮＴ    名札
ＰＴ    胸ポケット
【図１】
2015016223.tif 000003
【図２】
2015016223.tif 000004
【図３】
2015016223.tif 000005
【図４】
2015016223.tif 000006
【図５】
2015016223.tif 000007
【図６】
2015016223.tif 000008
【図７】
2015016223.tif 000009
【図８】
2015016223.tif 000010
【図９】
2015016223.tif 000011
【図１０】
2015016223.tif 000012
【図１１】
2015016223.tif 000013
【図１２】
2015016223.tif 000014
【図１３】
2015016223.tif 000015
【図１４】
2015016223.tif 000016
【図１５】
2015016223.tif 000017
【図１６】
2015016223.tif 000018
【図１７】
2015016223.tif 000019
【図１８】
2015016223.tif 000020